(57)【要約】      （修正有）【課題】電源供給線を備えた液晶表示パネル及びこれを備える液晶表示装置を提供する。【解決手段】複数のゲート線と、複数のゲート線と絶縁されて交差するように形成された複数のデータ線及び複数のゲート線と複数のデータ線との交差領域に形成された複数の単位画素を備える第１の基板６００と、第１の基板に対向して配置され、複数のカラーフィルタを備える第２の基板１１００と、光源１３００に電源を供給するための電源供給部と、第１の基板上に形成され、電源供給部と電気的に接続された電源供給線５００と、電源供給線と電気的に接続された第１のフレキシブルプリント回路基板と、を備える液晶表示パネル及びこれを備える液晶表示装置。【選択図】図１
2008176266.tif 000002
【特許請求の範囲】
【請求項１】
複数のゲート線と、前記複数のゲート線と絶縁されて交差するように形成された複数のデータ線及び前記複数のゲート線と前記複数のデータ線との交差領域に形成された複数の単位画素を備える第１の基板と、
前記第１の基板に対向して配置され、複数のカラーフィルタを備える第２の基板と、
光源に電源を供給するための電源供給部と、
前記第１の基板上に形成され、前記電源供給部と電気的に接続された電源供給線と、
前記電源供給線と電気的に接続された第１のフレキシブルプリント回路基板と、
を備えることを特徴とする液晶表示パネル。
【請求項２】
前記複数のデータ線にデータ信号を印加するためのデータ駆動部と、
前記複数のゲート線にゲート信号を印加するためのゲート駆動部と、をさらに備えることを特徴とする請求項１に記載の液晶表示パネル。
【請求項３】
前記第１のフレキシブルプリント回路基板の一方の側に設けられた第１のコネクタをさらに備えることを特徴とする請求項２に記載の液晶表示パネル。
【請求項４】
前記データ駆動部は、
データ信号を生成するデータ駆動ＩＣと、
前記電源供給部が実装されるプリント回路基板と、
前記プリント回路基板と前記第１の基板とを電気的に接続させ、前記データ駆動ＩＣが実装される第１のフィルムと、を備えることを特徴とする請求項２に記載の液晶表示パネル。
【請求項５】
前記データ駆動部は前記第１の基板の第１の側部に配置され、前記ゲート駆動部は前記第１の基板の第１の側部と隣り合う第２の側部に配置されることを特徴とする請求項２に記載の液晶表示パネル。
【請求項６】
前記電源供給線は、前記第１の基板の第２の側部に形成されることを特徴とする請求項５に記載の液晶表示パネル。
【請求項７】
前記電源供給線は、前記第１の基板の第２の側部に対向する第３の側部に形成されることを特徴とする請求項５に記載の液晶表示パネル。
【請求項８】
前記電源供給線は、前記第１の基板の第２の側部及び前記第２の側部に対向する第３の側部にそれぞれ形成されることを特徴とする請求項５に記載の液晶表示パネル。
【請求項９】
前記第１のフレキシブルプリント回路基板は、前記第１の基板の前記第２の側部及び前記第３の側部の少なくとも一方に形成された電源供給線にそれぞれ接続されることを特徴とする請求項８に記載の液晶表示パネル。
【請求項１０】
前記ゲート駆動部は、ゲート信号を生成するゲート駆動ＩＣを備えることを特徴とする請求項２に記載の液晶表示パネル。
【請求項１１】
前記ゲート駆動部は前記ゲート駆動ＩＣが実装される第２のフィルムをさらに備え、前記第２のフィルムは前記第１の基板上に配置されることを特徴とする請求項１０に記載の液晶表示パネル。
【請求項１２】
前記ゲート駆動ＩＣの動作に必要となる制御信号を印加するために、前記第１の基板上に形成された制御信号線をさらに備えることを特徴とする請求項１０に記載の液晶表示パネル。
【請求項１３】
前記第２のフィルム上に形成され、前記電源供給線を電気的に接続させるための第１の接続線と、
前記第２のフィルム上に形成され、前記制御信号線を電気的に接続させるための第２の接続線と、をさらに備えることを特徴とする請求項１２に記載の液晶表示パネル。
【請求項１４】
前記ゲート駆動部は前記第１の基板上に実装され、前記ゲート信号を出力する複数のステージよりなるシフトレジスタを備えることを特徴とする請求項２に記載の液晶表示パネル。
【請求項１５】
複数のゲート線と、前記複数のゲート線と絶縁されて交差するように形成された複数のデータ線及び前記複数のゲート線と前記複数のデータ線との交差領域に形成された複数の単位画素を備える第１の基板と、前記第１の基板に対向して配置され、複数のカラーフィルタを備える第２の基板と、光源に電源を供給するための電源供給部と、前記第１の基板上に形成され、前記電源供給部と電気的に接続された電源供給線と、前記電源供給線と電気的に接続された第１のフレキシブルプリント回路基板とを備える液晶表示パネルと、
発光ダイオード及び前記発光ダイオードを実装するための第２のフレキシブルプリント回路基板を有するバックライトユニットと、を備え、
前記第２のフレキシブルプリント回路基板は、前記第１のフレキシブルプリント回路基板と電気的に接続されるように形成されることを特徴とする液晶表示装置。
【請求項１６】
前記複数のデータ線にデータ信号を印加するためのデータ駆動部と、
前記複数のゲート線にゲート信号を印加するためのゲート駆動部と、をさらに備えることを特徴とする請求項１５に記載の液晶表示装置。
【請求項１７】
前記第１のフレキシブルプリント回路基板の一方の側に形成された第１のコネクタと、
前記第２のフレキシブルプリント回路基板の一方の側に形成され、前記第１のコネクタと係合される第２のコネクタと、をさらに備えることを特徴とする請求項１６に記載の液晶表示装置。
【請求項１８】
前記データ駆動部は前記第１の基板の第１の側部に配置され、前記ゲート駆動部は前記第１の基板の第１の側部と隣り合う第２の側部に配置されることを特徴とする請求項１６に記載の液晶表示装置。
【請求項１９】
前記電源供給線は、前記第１の基板の第２の側部に形成されることを特徴とする請求項１８に記載の液晶表示装置。
【請求項２０】
前記電源供給線は、前記第１の基板の第２の側部に対向する第３の側部に形成されることを特徴とする請求項１８に記載の液晶表示装置。
【請求項２１】
前記電源供給線は、前記第１の基板の第２の側部及び前記第２の側部に対向する第３の側部にそれぞれ形成されることを特徴とする請求項１８に記載の液晶表示装置。
【請求項２２】
前記バックライトユニットは、前記第１の基板の第１の側部に対向する第４の側部に配置されることを特徴とする請求項１８に記載の液晶表示装置。
【発明の詳細な説明】
【技術分野】
【０００１】
本発明は電源供給線を備えた液晶表示パネル及びこれを備える液晶表示装置に係り、さらに詳しくは、光源に電源を供給するために基板上に電源供給線を形成した液晶表示パネル及びこれを備える液晶表示装置に関する。
【背景技術】
【０００２】
現在、ほとんどの会社において採用中のノート型パソコン用のバックライトユニットは、冷陰極蛍光ランプ（ＣＣＦＬ）、外部電極蛍光ランプ（ＥＥＦＬ）などのランプタイプの線光源である。この種のランプタイプの線光源には反射板が必須であり、ランプの厚さに応じて最適な導光板の厚さを取る必要があるため、モジュールの厚さ及び重さが増してしまう。また、ランプの駆動のための高電圧を誘導するインバータの使用により消費電流もまた増大してしまう。
【０００３】
このため、これを解決するために、光源として発光ダイオードを用いたバックライトユニットの採用が増えてきている。発光ダイオードを用いたバックライトユニットは低消費電力化及び薄膜化が可能であり、且つ、高輝度及び高い色再現性の実現が可能である。
【０００４】
通常の発光ダイオードバックライトユニットは、データ駆動部とバックライトユニットの光源部が互いに反対の側面に配置され、データ駆動部は液晶表示パネルの背面に曲げられて設置されている。この場合、光源部に電源を供給するために、フレキシブルプリント回路基板を用いて、データ駆動部のプリント回路基板に実装された電源と光源部とを接続させる。しかしながら、データ駆動部のプリント回路基板と光源部は遠く離れているため、フレキシブルプリント回路基板の長さが長くなり、その結果、フレキシブルプリント回路基板のコストが上がり、このようなフレキシブルプリント回路基板が垂れたり折れたりするという問題点が発生する。
【発明の開示】
【発明が解決しようとする課題】
【０００５】
本発明は上記事情に鑑みてなされたものであり、その目的は、バックライトユニットに電源を供給するために、基板上に電源供給線を形成した液晶表示パネル及びこれを備える液晶表示装置を提供するところにある。
【課題を解決するための手段】
【０００６】
上記の目的を達成するために、本発明の一実施形態によれば、複数のゲート線と、複数のゲート線と絶縁されて交差するように形成された複数のデータ線及び複数のゲート線と複数のデータ線との交差領域に形成された複数の単位画素を備える第１の基板と、第１の基板に対向して配置され、複数のカラーフィルタを備える第２の基板と、光源に電源を供給するための電源供給部と、第１の基板上に形成され、電源供給部と電気的に接続された電源供給線と、電源供給線と電気的に接続された第１のフレキシブルプリント回路基板と、を備えることを特徴とする液晶表示パネルが提供される。
【０００７】
液晶表示パネルは、複数のデータ線にデータ信号を印加するためのデータ駆動部と、複数のゲート線にゲート信号を印加するためのゲート駆動部と、をさらに備える。
【０００８】
液晶表示パネルは、第１のフレキシブルプリント回路基板の一方の側に設けられた第１のコネクタをさらに備える。
【０００９】
データ駆動部は、データ信号を生成するデータ駆動ＩＣと、電源供給部が実装されるプリント回路基板と、プリント回路基板と第１の基板とを電気的に接続させ、データ駆動ＩＣが実装される第１のフィルムと、を備える。
【００１０】
データ駆動部は第１の基板の第１の側部に配置され、ゲート駆動部は第１の基板の第１の側部に隣接する第２の側部に配置される。
【００１１】
電源供給線は、第１の基板の第２の側部に形成される。
【００１２】
電源供給線は、第１の基板の第２の側部に対向する第３の側部に形成される。
【００１３】
電源供給線は、第１の基板の第２の側部及び第２の側部に対向する第３の側部にそれぞれ形成される。
【００１４】
第１のフレキシブルプリント回路基板は、第１の基板の第２の側部及び第３の側部の少なくとも一方に形成された電源供給線にそれぞれ接続される。
【００１５】
ゲート駆動部は、ゲート信号を生成するゲート駆動ＩＣを備える。
【００１６】
ゲート駆動部はゲート駆動ＩＣが実装される第２のフィルムをさらに備え、第２のフィルムは第１の基板上に配置される。
【００１７】
液晶表示パネルは、ゲート駆動ＩＣの動作に必要となる制御信号を印加するために、第１の基板上に形成された制御信号線をさらに備える。
【００１８】
液晶表示パネルは、第２のフィルム上に形成され、電源供給線を電気的に接続させるための第１の接続線と、第２のフィルム上に形成され、制御信号線を電気的に接続させるための第２の接続線と、をさらに備える。
【００１９】
ゲート駆動部は第１の基板上に実装され、ゲート信号を出力する複数のステージよりなるシフトレジスタを備える。
【００２０】
また、上記の目的を達成するために、本発明の他の側面によれば、複数のゲート線と、複数のゲート線と絶縁されて交差するように形成された複数のデータ線及び複数のゲート線と複数のデータ線との交差領域に形成された複数の単位画素を備える第１の基板と、第１の基板に対向して配置され、複数のカラーフィルタを備える第２の基板と、光源に電源を供給するための電源供給部と、第１の基板上に形成され、電源供給部と電気的に接続された電源供給線と、電源供給線と電気的に接続された第１のフレキシブルプリント回路基板とを備える液晶表示パネルと、発光ダイオード及び発光ダイオードを実装するための第２のフレキシブルプリント回路基板を有するバックライトユニットと、を備え、第２のフレキシブルプリント回路基板は、第１のフレキシブルプリント回路基板と電気的に接続されるように形成されることを特徴とする液晶表示装置が提供される。
【００２１】
液晶表示装置は、複数のデータ線にデータ信号を印加するためのデータ駆動部と、複数のゲート線にゲート信号を印加するためのゲート駆動部と、をさらに備える。
【００２２】
液晶表示装置は、第１のフレキシブルプリント回路基板の一方の側に形成された第１のコネクタと、第２のフレキシブルプリント回路基板の一方の側に形成され、第１のコネクタと係合される第２のコネクタと、をさらに備える。
【００２３】
データ駆動部は第１の基板の第１の側部に配置され、ゲート駆動部は第１の基板の第１の側部に隣接する第２の側部に配置される。
【００２４】
電源供給線は、第１の基板の第２の側部に形成される。
【００２５】
電源供給線は、第１の基板の第２の側部に対向する第３の側部に形成される。
【００２６】
電源供給線は、第１の基板の第２の側部及び第２の側部に対向する第３の側部にそれぞれ形成される。
【００２７】
バックライトユニットは、第１の基板の第１の側部に対向する第４の側部に配置される。
【発明の効果】
【００２８】
本発明によれば、バックライトユニットに電源を供給するために、基板上に電源供給線を形成し、電源供給線にフレキシブルプリント回路基板を接続した液晶表示パネルを提供することにより、フレキシブルプリント回路基板を短尺化させることができる。その結果、フレキシブルプリント回路基板のコストを節減させることができ、しかも、フレキシブルプリント回路基板の損傷を防ぐことができる。
【発明を実施するための最良の形態】
【００２９】
以下、添付図面に基づき、本発明の好適な実施形態について詳細に説明する。
【００３０】
図１は、本発明の第１の実施形態による液晶表示装置の概略構成図である。
図１を参照すると、液晶表示パネル１０００は、薄膜トランジスタ基板１００と、カラーフィルタ基板２００と、データ駆動部３００と、ゲート駆動部４００と、電源供給線５００と、第１のフレキシブルプリント回路基板６００及び第１のコネクタ７００とを備える。液晶表示パネル１０００の一方の側に配置されたバックライトユニット２０００は、第２のフレキシブルプリント回路基板１１００と、第２のコネクタ１２００と、発光ダイオード１３００とを備える。
【００３１】
液晶表示パネル１０００は、下部基板である薄膜トランジスタ基板１００と、これに対向して配置される上部基板であるカラーフィルタ基板２００と、これらの２枚の基板の間に形成され、２枚の基板に対して所定の方向に配向される液晶層（図示せず）と、を備える。
【００３２】
薄膜トランジスタ基板１００は、基板上に第１の方向、すなわち、横方向に形成された複数のゲート線（図示せず）と、ゲート線と絶縁されて交差するように形成された複数のデータ線（図示せず）と、複数のゲート線と複数のデータ線との交差領域に形成された複数の単位画素（図示せず）と、を備える。単位画素は、スイッチング素子、すなわち、薄膜トランジスタと、画素電極及びストレージキャパシタ電極と、を備え、薄膜トランジスタは、ゲート線に供給されるゲート信号に応じて、データ線に供給されるデータ信号を画素電極に充電させる。
【００３３】
カラーフィルタ基板２００は、光漏れと隣接する画素領域同士の光干渉とを防ぐためのブラックマトリックス（図示せず）と、赤色、緑色、青色のカラーフィルタ（図示せず）と、透明導電性物質からなる共通電極（図示せず）とを備える。
【００３４】
データ駆動部３００は、データ線に所定のデータ信号を印加し、ゲート駆動部４００は、ゲート線に所定のゲート信号を印加する。この実施形態において、データ駆動部３００は、データ信号を生成するデータ駆動ＩＣ３１０と、電源供給部３２５をはじめとする種々の回路部品が実装されるプリント回路基板３２０及びプリント回路基板３２０と薄膜トランジスタ基板１００を電気的に接続させ、データ駆動ＩＣ３１０が実装される第１のフィルム３３０と、を備える。ゲート駆動部４００は、ゲート信号を生成するゲート駆動ＩＣ４１０及びゲート駆動ＩＣ４１０が実装される第２のフィルム４２０をさらに備え、第２のフィルム４２０は薄膜トランジスタ基板１００上に配置される。
【００３５】
また、データ駆動部３００は薄膜トランジスタ基板１００の上側部に配置され、ゲート駆動部４００は薄膜トランジスタ基板１００の左側または右側部（この実施形態の場合、左側部）に配置される。
【００３６】
電源供給線５００は、データ駆動部３００のプリント回路基板３２０上に実装された電源供給部３２５から供給される電源をバックライトユニット２０００の発光ダイオード１３００に印加するために、薄膜トランジスタ基板１００の一方の側部（この実施形態の場合、左側部）上に形成される。電源供給線５００の一端はプリント回路基板３２０上に形成された回路パターン（図示せず）を介して電源供給部３２５と接続され、他端は第１のフレキシブルプリント回路基板６００と電気的に接続される。第１のフレキシブルプリント回路基板６００の端部には第１のコネクタ７００が形成される。
【００３７】
バックライトユニット２０００は、液晶表示パネル１０００の下側部、すなわち、データ駆動部３００とは反対となる側に配置される。発光ダイオード１３００は第２のフレキシブルプリント回路基板１１００上に実装され、また、第２のフレキシブルプリント回路基板１１００の一方の側には突出部が形成され、その突出部の端部には第２のコネクタ１２００が形成される。
【００３８】
第１のフレキシブルプリント回路基板６００の端部に形成された第１のコネクタ７００と第２のフレキシブルプリント回路基板１１００の端部に形成された第２のコネクタ１２００は係合されて電気的に接続される。その結果、電源供給部３２５から出力された電源は、薄膜トランジスタ基板１００上に形成された電源供給線５００、第１のフレキシブルプリント回路基板６００、第１のコネクタ７００、第２のコネクタ１２００、第２のフレキシブルプリント回路基板１１００を経て発光ダイオード１３００に印加される。
【００３９】
上述のように、電源供給線を薄膜トランジスタ基板上に形成すると、電源供給部においてバックライトユニットをフレキシブルプリント回路基板を用いて接続していた従来の技術に比べて、フレキシブルプリント回路基板の長さを短くすることが可能になる。その結果、フレキシブルプリント回路基板のコストを節減することができ、フレキシブルプリント回路基板が垂れたり折れたりする現像を防ぐことが可能になり、結果として、電源供給部から出力される電源を発光ダイオードに円滑に供給することが可能になる。
【００４０】
図２は、図１に示す液晶表示装置の液晶表示パネルの平面図である。図２は、図１に示す液晶表示パネルをより詳細に示す平面図である。図２を参照すると、データ駆動部３００は薄膜トランジスタ基板１００の上側部に配置され、ゲート駆動部４００は薄膜トランジスタ基板１００の左側部に配置される。
【００４１】
データ駆動部３００のプリント回路基板３２０には、バックライトユニットの発光ダイオード１３００（図１参照）への印加電源を出力する電源供給部３２５の他にも、種々の液晶表示パネルを駆動するために要される種々の回路部品（図示せず）が実装される。例えば、ゲート駆動部及びデータ駆動部を制御するための制御信号を生成し、コンピュータなどから入力されたデジタルデータ信号を制御するタイミング制御部、データ駆動部のグレースケールを電圧として出力するためのγ標準電圧発生器などを実装可能である。
【００４２】
ゲート駆動部４００は、ゲート信号を生成するゲート駆動ＩＣ４１０、ゲート駆動ＩＣ４１０が実装される第２のフィルム４２０及び制御信号線４５０を備える。制御信号線４５０は薄膜トランジスタ基板１００の一方の側部、すなわち、左側部上に形成され、電源供給線５００は、データ駆動部３００のプリント回路基板３２０上に実装された電源供給部３２５から供給される電源をバックライトユニット２０００の発光ダイオード１３００に印加するために、薄膜トランジスタ基板１００の一方の側部、すなわち、左側部上に形成される。この実施形態の場合、電源供給線５００は制御信号線４５０から所定間隔だけ離されて形成される。
【００４３】
ゲート駆動ＩＣ４１０が実装された第２のフィルム４２０は、第１の接続線４３０と第２の接続線４４０上に形成される。第１の接続線４３０の一端は電源供給線５００と電気的に接続され、他端はゲート駆動ＩＣ４１０と電気的に接続される。第２の接続線４４０の一端は制御信号線４５０と電気的に接続され、他端はゲート駆動ＩＣ４１０と電気的に接続される。
【００４４】
上記のような構造によれば、電源供給部３２５から出力された電源は電源供給線５００、第１の接続線４３０、ゲート駆動ＩＣ４１０、第１の接続線４３０及び電源供給線５００を経て第１のフレキシブルプリント回路基板６００及び第１のコネクタ７００に印加される。
【００４５】
この実施形態の場合、ゲート駆動ＩＣ４１０は、フィルムを用いたＣＯＦ（Ｃｈｉｐ  Ｏｎ  Ｆｉｌｍ）またはＴＣＰ（Ｔａｐｅ  Ｃａｒｒｉｅｒ  Ｐａｃｋａｇｅ）方式により薄膜トランジスタ基板１００と接続されるが、ゲート駆動ＩＣ４１０は、ＣＯＧ（Ｃｈｉｐ  Ｏｎ  Ｇｌａｓｓ）方式により薄膜トランジスタ基板１００上に直接的に実装されてもよい。ゲート駆動ＩＣ４１０をＣＯＧ方式により実装する場合は、第２のフィルム４２０と第２のフィルム上に形成された第１及び第２の接続線４３０、４４０は省略可能である。
【００４６】
図３Ａ及び図３Ｂは、液晶表示パネルの第１のフレキシブルプリント回路基板の平面図及び側面図であり、図４Ａ及び図４Ｂは、バックライトユニットの第２のフレキシブルプリント回路基板の平面図及び側面図であり、図５は、第１のコネクタと第２のコネクタが係合された状態を示す断面図である。
【００４７】
図３Ａ乃至図５を参照すると、第１のコネクタ７００は、液晶表示パネルの第１のフレキシブルプリント回路基板６００の一方の側に形成され、第２のコネクタ１２００はバックライトユニットの第２のフレキシブルプリント回路基板１１００の一方の側に形成される。
【００４８】
第１のコネクタ７００は、第１のベース板７１０と、第１のベース板７１０に形成され、所定の高さだけ突き出して配置された突出端子７２０と、を備える。第１のプリント回路基板６００には電源供給線５００（図１及び２参照）と接続された回路パターン（図示せず）が形成され、この回路パターンは第１のベース板７１０を介して突出端子７２０と電気的に接続される。
【００４９】
第２のコネクタ１２００は、第２のベース板１２１０と、第２のベース板１２１０に形成され、所定の深さだけ凹陥された凹陥端子１２２０と、を備える。このとき、第１のコネクタ７００の突出端子７２０と第２のコネクタ１２００の凹陥端子１２２０は互いに対応するように形成されて係合される。この実施形態の場合、第１のコネクタ７００に突出端子７２０を形成し、第２のコネクタ１２００に凹陥端子１２２０を形成しているが、これに限定されるものではなく、端子の形は互いに変わってもよい。また、第１のコネクタと第２のコネクタとの係合構造はこれに限定されるものではなく、種々の構造に形成可能である。
【００５０】
図６は、本発明の第２の実施形態による液晶表示装置の概略構成図である。図６に示す第２の実施形態は、第１の実施形態と比較して、電源供給線の形成位置が異なり、残りの構成要素はほとんど同じであるため、以下では、異なる構成を中心に詳述する。
【００５１】
図６を参照すると、データ駆動部３００は薄膜トランジスタ基板１００の上側部に配置され、ゲート駆動部４００は薄膜トランジスタ基板１００の左側部に配置される。
【００５２】
電源供給線５００は、データ駆動部３００のプリント回路基板３２０上に実装された電源供給部３２５から供給される電源をバックライトユニット２０００の発光ダイオード１３００に印加するために、ゲート駆動部４００とは反対となる側、すなわち、薄膜トランジスタ基板１００の右側部上に形成される。
【００５３】
このように、電源供給線５００をゲート駆動部４００とは反対となる側に形成すると、電源供給部３２５から出力された電源がゲート駆動ＩＣ４１０を介することなく、電源供給線５００を通ってバックライトユニットの発光ダイオード１３００に印加される。
【００５４】
一般に、バックライトユニットの発光ダイオードに印加される電源の電圧は約１５〜２５Ｖであり、電流は約１００ｍＡ以上の高電流である。ゲート駆動ＩＣ４１０は高電圧及び高電流に弱い可能性があるため、電源供給線５００をゲート駆動部４００とは反対となる側に形成すると、高電圧及び高電流によるゲート駆動ＩＣの誤動作を予防でき、結果として、信頼性を高めることができる。
【００５５】
図７Ａは、本発明の第３の実施形態による液晶表示装置の概略構成図であり、図７Ｂは、図７Ａに示すゲート駆動部の構造を説明するための概略構成図である。図７Ａ及び図７Ｂに示す第３の実施形態は、前記実施形態と比較して、ゲート駆動部の構造が異なり、残りの構成要素はほとんど同じであるため、以下では異なる構成を中心に詳述する。
【００５６】
図７Ａを参照すると、ゲート駆動部４６０は、薄膜トランジスタ基板１００の一方の側部（この実施形態の場合、左側部）上に実装される。ゲート駆動部４６０は、外部クロック信号とゲート線とを接続させるスイッチング素子である薄膜トランジスタを制御する回路により構成されるが、このような薄膜トランジスタはアモルファスシリコン薄膜トランジスタにより形成されて基板上に実装される。
【００５７】
図７Ｂを参照すると、ゲート駆動部４６０は、クロック信号ＣＫＶと反転クロック信号ＣＫＶＢに応じてゲート線Ｇ１、Ｇ２、Ｇ３、Ｇ４を順次オンさせるための、複数の縦続接続されたステージＳＲＣ１、ＳＲＣ２、ＳＲＣ３、ＳＲＣ４からなるシフトレジスタを備える。開始信号ＳＴＶが第１のステージＳＲＣ１を駆動させると、第１のステージはクロック信号ＣＫＶに応じて、第１のゲート線Ｇ１をオンさせる。オンした第１のゲート線Ｇ１は第２のステージＳＲＣ２を駆動させ、第２のステージは反転クロック信号ＣＫＶＢに応じて、第２のゲート線Ｇ２をオンさせる。オンした第２のゲート線Ｇ２は第３のステージＳＲＣ３を駆動させると同時に、第１のステージＳＲＣ１をオフさせる。このような方式によりゲート線は順次オンされる。
【００５８】
図８は、本発明の第４の実施形態による液晶表示装置の概略構成図である。図８に示す第４の実施形態は、前記実施形態と比較して、電源供給線の本数及び形成位置が異なり、残りの構成要素はほとんど同じであるため、以下では異なる構成を中心に詳述する。
【００５９】
図８を参照すると、電源供給線５００は、薄膜トランジスタ基板１００の一方の側部及びこれに対向する他方の側部、すなわち、薄膜トランジスタ基板１００の左側部と右側部上にそれぞれ形成される。薄膜トランジスタ基板１００の左側部及び右側部にそれぞれ形成された電源供給線５００の端部には、第１のフレキシブルプリント回路基板６００と第１のコネクタ７００がそれぞれ形成される。
【００６０】
これに対応して、バックライトユニット２０００の第２のフレキシブルプリント回路基板１１００の一方の側及び他方の側にはそれぞれ第２のコネクタ１２００が形成されて対応する第１のコネクタ７００と係合される。
【００６１】
以上、本発明による電源供給線を備えた液晶表示パネル及びこれを備える液晶表示装置について説明したが、これは単なる例示的なものに過ぎず、本発明はこれらに限定されるものではない。なお、特許請求の範囲において請求するように、本発明の要旨を逸脱することなく、この技術分野における通常の知識を持った者であれば誰でも種々の変更実施が行える範囲まで本発明の技術的な精神があると言えるであろう。
【図面の簡単な説明】
【００６２】
【図１】本発明の第１の実施形態による液晶表示装置の概略構成図である。
【図２】図１に示す液晶表示装置の液晶表示パネルの平面図である。
【図３Ａ】液晶表示パネルの第１のフレキシブルプリント回路基板の平面図である。
【図３Ｂ】液晶表示パネルの第１のフレキシブルプリント回路基板の側面図である。
【図４Ａ】バックライトユニットの第２のフレキシブルプリント回路基板の平面図である。
【図４Ｂ】バックライトユニットの第２のフレキシブルプリント回路基板の側面図である。
【図５】第１のコネクタと第２のコネクタが係合された状態を示す断面図である。
【図６】本発明の第２の実施形態による液晶表示装置の概略構成図である。
【図７Ａ】本発明の第３の実施形態による液晶表示装置の概略構成図である。
【図７Ｂ】図７Ａに示されたゲート駆動部の構造を説明するための概略構成図である。
【図８】本発明の第４の実施形態による液晶表示装置の概略構成図である。
【符号の説明】
【００６３】
１００  薄膜トランジスタ基板
２００  カラーフィルタ基板
３００  データ駆動部
４００  ゲート駆動部
４５０  制御信号線
５００  電源供給線
６００  第１のフレキシブルプリント回路基板
７００  第１のコネクタ
１１００  第２のフレキシブルプリント回路基板
１２００  第２のコネクタ
１３００  発光ダイオード
【図１】
2008176266.tif 000003
【図２】
2008176266.tif 000004
【図３Ａ】
2008176266.tif 000005
【図３Ｂ】
2008176266.tif 000006
【図４Ａ】
2008176266.tif 000007
【図４Ｂ】
2008176266.tif 000008
【図５】
2008176266.tif 000009
【図６】
2008176266.tif 000010
【図７Ａ】
2008176266.tif 000011
【図７Ｂ】
2008176266.tif 000012
【図８】
2008176266.tif 000013